(57)【要約】【課題】複数の引出線２６の抵抗値を十分に均一化できるようにする。【解決手段】電気絶縁する絶縁層２４、絶縁層２４を貫通して設けられた接続部３２、絶縁層２４の一方の面に形成された外部接続端子２８、絶縁層２４の他方の面に形成された引出線２６を設ける。そして、接続部３２により外部接続端子２８と引出線２６とが接続される。また、引出線２６の一方の端部は、導電体２７に接続される。引出線２６の他方の端部は、導電体２７側の外部接続端子２８の第１の端部から所定距離離れた位置において、接続部３２により外部接続端子２８と接続される。【選択図】      図６
2010072256.tif 000002
【特許請求の範囲】
【請求項１】
電気絶縁する絶縁層と、
前記絶縁層を貫通して設けられた接続部と、
前記絶縁層の一方の面に形成された外部接続端子と、
前記絶縁層の他方の面に形成された引出線と、を有し、
前記外部接続端子と前記引出線とが前記接続部により接続されると共に、前記引出線の一方の端部が導電体に接続され、他方の端部が前記外部接続端子における前記導電体側の第１の端部から所定距離離れた位置において前記接続部によって前記外部接続端子と接続されていることを特徴とする引出線配線装置。
【請求項２】
請求項１に記載の引出線配線装置であって、
前記接続部が、前記外部接続端子の前記第１の端部と対向する第２の端部から所定距離離れた位置に形成されていることを特徴とする引出線配線装置。
【請求項３】
請求項１に記載の引出線配線装置であって、
前記接続部が、前記引出線の抵抗値が略所定値となる位置に形成されていることを特徴とする引出線配線装置。
【請求項４】
請求項１乃至３いずれか１項に記載の引出線配線装置であって、
前記引出線が、途中から異なる幅寸法に設定されていることを特徴とする引出線配線装置。
【請求項５】
請求項１乃至４いずれか１項に記載の引出線配線装置であって、
前記引出線が、略直線状に形成されていることを特徴とする引出線配線装置。
【請求項６】
請求項１乃至４いずれか１項に記載の引出線配線装置であって、
前記引出線が、蛇行した蛇行部を備えることを特徴とする引出線配線装置。
【請求項７】
請求項１乃至６いずれか１項に記載の引出線配線装置を複数備え、前記各引出線配線装置における前記引出線と接続される信号線及び、前記信号線を介して前記引出線配線装置における前記外部接続端子から入力する外部信号によって画像表示が制御される画素を有する表示パネルと、
前記外部接続端子に前記外部信号を出力する駆動回路と、を備えることを特徴とする画像表示装置。
【請求項８】
請求項７に記載の引出線配線装置であって、
前記表示パネルが、さらに画像を表示する表示領域、前記表示領域の外周領域で前記引出線が形成される額縁領域、前記額縁領域の外周領域で前記外部接続端子が形成される端子領域を備え、
前記引出線が、前記端子領域まで延びて設けられて、前記端子領域に形成された前記接続部により前記外部接続端子と接続されていることを特徴とする画像表示装置。
【請求項９】
引出線を形成する手順と、
前記引出線の上に絶縁層を形成する手順と、
前記絶縁層を貫通して接続部を形成する手順と、
前記絶縁層の上に外部接続端子を形成し、かつ、その際に前記外部接続端子と前記引出線とを前記接続部により電気的に接続する手順とを備えることを特徴とする引出線配線装置の製造方法。
【請求項１０】
請求項９に記載の引出線配線装置の製造方法であって、
前記接続部を形成する手順は、前記接続部を前記外部接続端子の端部から所定距離の位置に形成する手順を含むことを特徴とする引出線配線装置の製造方法。
【請求項１１】
請求項９に記載の引出線配線装置の製造方法であって、
前記接続部を形成する手順は、
前記外部接続端子と前記引出線とを接続する前記接続部を、前記引出線の抵抗値に応じて設定された位置に形成する手順を含むことを特徴とする引出線配線装置の製造方法。
【請求項１２】
請求項９乃至１１のいずれか１項に記載の引出線配線装置の製造方法であって、
前記引出線を形成する手順は、複数の前記引出線のうちの少なくとも１つの前記引出線の線幅を途中から変える手順を含むことを特徴とする引出線配線装置の製造方法。
【請求項１３】
請求項９乃至１２のいずれか１項に記載の引出線配線装置の製造方法であって、
前記引出線を形成する手順は、前記引出線を直線状に形成する手順を含むことを特徴とする引出線配線装置の製造方法。
【請求項１４】
請求項９乃至１２のいずれか１項に記載の引出線配線装置の製造方法であって、
前記引出線を形成する手順は、複数の前記引出線のうちの少なくとも１つの前記引出線を蛇行させる手順を含むことを特徴とする引出線配線装置の製造方法。
【発明の詳細な説明】
【技術分野】
【０００１】
本発明は、信号線と駆動回路とを接続する引出線配線装置、画像表示装置及び引出線配線装置の製造方法に関する。
【背景技術】
【０００２】
液晶パネル等の表示パネルを備えた画像表示装置が、市場に提供されている。この液晶パネルは、薄型軽量であり、かつ、低消費電力のフラットパネルディスプレイである。
【０００３】
かかる液晶パネルは、パネル中央部に設けられた画像表示を行う表示領域、この表示領域の外周領域に設けられた額縁領域、この額縁領域の外周領域に設けられた端子領域を備える。
【０００４】
表示領域には、複数の走査線が、所定の間隔をおいて並設されている。また、この走査線に直交して、複数のデータ線が、所定の間隔をおいて並設されている。端子領域には、外部信号を出力する駆動回路のピン（端子）を接続するための複数の外部接続端子が、形成されている。額縁領域には、走査線やデータ線を外部接続端子に接続するための複数の引出線が、形成されている。そして、走査線とデータ線とにより囲まれる最小領域が１つの画素をなしている。
【０００５】
このような構成で、画像表示は、走査線とデータ線との外部信号に基づき各画素の透過率を制御することにより行なわれる。
【０００６】
以下の説明では、走査線やデータ線を総称して信号線と記載すると共に、信号線の隣接間隔を信号線ピッチと記載する。また、信号線を流れる外部信号を制御信号と記載する。
【０００７】
さらに、駆動回路のピン数に対応した数の外部接続端子の群を端子ブロックと記載する。この場合、複数の外部接続端子は、複数の端子ブロックに分けられる。また、端子ブロックにおける外部接続端子の間隔は、端子ピッチと記載される。
【０００８】
一般的に信号線ピッチは端子ピッチより大きいため、引出線は、信号線ピッチと端子ピッチとのピッチ調整を行いながら信号線と外部接続端子とを接続する。このとき、接続する外部信号端子と信号線との位置関係により、引出線の長さが異なる。
【０００９】
引出線の長さが異なると、その抵抗値も異なる。引出線の抵抗値が大きいと、外部接続端子から画素に伝達される制御信号の伝送特性が大きく劣化する。制御信号の伝送特性は、表示画像の画質低下の原因となる。
【００１０】
１つの端子ブロックにおける各引出線の長さは、連続的に変化する。従って、端子ブロック内の各引出線の抵抗値も徐々に変化する。このため、１つの端子ブロックにおける外部接続端子からの制御信号により制御される画素の画質は、徐々に変化する。画質が徐々に変化するので、画質低下は余り目立たない。
【００１１】
しかし、端子ブロック間においては引出線の長さは、不連続的に変化する。従って、引出線の抵抗値も不連続的に変化する。このため、画質が不連続的に変化する。画質が不連続的に変化するので、画質低下が目立つようになる。
【００１２】
そこで、複数の引出線の抵抗値を均一化する技術開発が行われている。例えば、特開平１０−１５３７９１号公報（特許文献１）や特開２００３−１４０１８１号公報（特許文献２）は、以下の提案を行っている。即ち、特許文献１及び特許文献２においては、引出線を蛇行させて抵抗値を増大させ、また線幅を変えて抵抗値を調整する。これにより、複数の引出線の抵抗値が均一になるようにしている。
【００１３】
【特許文献１】特開平１０−１５３７９１号公報
【特許文献２】特開２００３−１４０１８１号公報
【発明の開示】
【発明が解決しようとする課題】
【００１４】
しかしながら、特許文献１及び特許文献２が開示する引出線を蛇行させ、あるいは線幅を変えて抵抗値を調整すると言った方策を実施するには、相応のスペースの確保が必要であるにもかかわらず、このスペースの確保が困難となる場合があった。即ち、引出線を蛇行させるためには、引出線を蛇行させるためのスペースを確保しなければならない。また、引出線の線幅を太くする場合は、隣接する引出線が短絡しないように、引出線の隣接間隔を広くするためのスペースを確保しなければならない。
【００１５】
しかし、画像表示が高精細でありながら、額縁領域の狭い表示パネルの開発が望まれている画像表示装置においては、上記スペースの確保が困難となり、引出線の抵抗値を十分に均一化できない問題があった。
【００１６】
そこで、本発明は、上記課題を解決した引出線配線装置、画像表示装置及び引出線配線装置の製造方法を提供することを主目的とする。
【課題を解決するための手段】
【００１７】
上記課題を解決するため、引出線配線装置は、電気絶縁する絶縁層と、絶縁層を貫通して設けられた接続部とを備える。また、絶縁層の一方の面に形成された外部接続端子と、絶縁層の他方の面に形成された引出線とを備える。そして、外部接続端子と引出線とが接続部により接続される。引出線の一方の端部は、導電体に接続される。また、引出線の他方の端部は、外部接続端子における導電体側の第１の端部から所定距離離れた位置において、接続部によって外部接続端子と接続される。
【発明の効果】
【００１８】
外部接続端子における導電体側の端部から所定距離離れた位置において、接続部によって引出線の一方の端部を外部接続端子と接続したので、引出線の抵抗値の調整範囲を拡大できる。従って、引出線の抵抗値が均一化できる。
【発明を実施するための最良の形態】
【００１９】
まず、関連技術を考察する。図１は、一般的な液晶パネル２の上面図を示している。液晶パネル２は、表示領域４、額縁領域６、端子領域８を備える。表示領域４は、複数の走査線１０ａや複数のデータ線１０ｂ等の信号線１０を備えている。走査線１０ａとデータ線１０ｂは、鎖交状態で直交している。
【００２０】
端子領域８には、複数の外部接続端子１２が形成されている。この外部接続端子１２は、図示しない駆動回路毎に１つの端子ブロック１３としてブロック化されている。額縁領域６には、信号線１０と外部接続端子１２とを接続する複数の引出線１６が形成されている。なお、以下に示す各図においては、図の簡略化のために信号線、外部接続端子及び信号線等の一部を適宜図示省略する。
【００２１】
図２及び図３は、端子領域８及び額縁領域６の上面図である。なお、図２及び図３等に示すように端子ブロック１３は矩形状である。そこで、端子ブロック１３の辺であって、表示領域４側の辺の中心を通り、端子領域８から表示領域４に向かう線を中心軸線としたとき、この中心軸線に対して端子ブロック１３の引出線１６は対称又は非対称に配置されている。図２は、引出線１６は中心軸線に対して対称に配置されている場合を示している。図３は、引出線１６は中心軸線に対して非対称に配置されている場合を示している。
【００２２】
このような引出線１６、外部接続端子１２及び信号線１０等は、フォトリソグラフィ法を用いて形成される。そこで、複数の引出線１６の抵抗値分布を均一化するために、フォトリソグラフィ法における解像度等のプロセス条件（例えば、引出線１６の最小隣接間隔）を満たしながら、引出線１６の線長や線幅が設定される。
【００２３】
例えば、長い線長の引出線１６は、線幅を太くすることにより、この引出線１６の低抵抗化が図られる。また、短い線長の引出線１６は、線幅を細くすることにより、この引出線１６の高抵抗化が図られる。これにより長い線長の引出線１６の抵抗値と短い線長の引出線１６の抵抗値との差は、小さくなる。
【００２４】
図２及び図３における拡大図Ｂは、端子領域８と額縁領域６との境界部分の拡大図であり、拡大図Ｃは、表示領域４と額縁領域６との境界部分の拡大図である。なお、本明細書では、図２，図３等に示すように、端子領域８の長手方向に平行な線Ｋと引出線１６とがなす鋭角を引出角αと定義する。
【００２５】
このように引出角αを定義した場合、引出線１６の引出角αは、引出線１６毎に異なる値となる。引出角αが小さくなると、引出線１６の隣接間隔Ｓも狭くなる。この隣接間隔Ｓの最小値は、上述したフォトリソグラフィ法における解像度等のプロセス条件によって決まる。従って、このプロセス条件内でしか、引出線１６の線幅Ｗは太くできない。
【００２６】
引出線の線幅に上限があり、この上限を満たしながら各引出線の抵抗値分布を均一化することが困難であるため、特許文献２は、図４に示すように、引出線１６を蛇行させる構成を提案している。図４に示す構成は、外部接続端子１２と信号線１０との直線距離Ｌが長い線長の引出線１６ａは、太い線幅となっている。また、外部接続端子１２と信号線１０との直線距離Ｌが短い線長の引出線１６ｂは、細い線幅とし、かつ、蛇行２０している。従って、引出線を蛇行させるには、相応のスペースが必要となる。
【００２７】
近年、表示領域４のサイズを変えずに画素数を増大させたり、または額縁領域６を狭くした高精細液晶パネルの開発が進んでいる。画素数の増大により、引出線の数も増加する。また、かかる高精細液晶パネルの技術開発と相俟って、駆動回路の多ピン化（ピン数が大きくなる）が進んでいる。
【００２８】
従って、信号線ピッチと端子ピッチとのピッチ差が大きくなって、引出線の線幅を太くすることが困難になる。また、狭い額縁領域に多数の引き出し配線を形成しなければならないため、引出線を蛇行させるスペースの確保が困難になっている。
【００２９】
上記外部接続端子１２及び引出線１６からなる表示パネルの引出線配線装置を、図５を参照して更に詳しく検討する。図５は、外部接続端子１２を含む表示パネルの部分断面図である。
【００３０】
ガラス基板２２の上に絶縁層２４が形成され、この絶縁層２４の上に引出線１６が形成されている。さらに、引出線１６の上には、ＩＴＯ（Ｉｎｄｉｕｍ  Ｔｉｎ  Ｏｘｉｄｅ）等からなるパターン１２ａが形成されている。外部接続端子１２は、パターン１２ａと引出線１６とが重なった領域である。
【００３１】
このような構成において、本願発明者は、これまで使われていなかった場所（例えば、ガラス基板２２と絶縁層２４との間）に引出線が形成できることを見出した。
【００３２】
次に、上述した考察によりなされた本発明の第１の実施形態を説明する。図６は、本実施形態にかかる引出線配線装置の部分断面図である。
【００３３】
引出線配線装置３０は、外部接続端子２８、絶縁層２４、引出線２６、接続部（コンタクトホール）３２を備える。外部接続端子２８は、外部信号（制御信号）が入力する電気導電体の端子である。絶縁層２４は、電気絶縁体からなる。引出線２６は、電気導電体からなる。コンタクトホール３２は、絶縁層２４を貫通して形成されている。
【００３４】
そして、絶縁層２４が外部接続端子２８と引出線２６とを電気的に絶縁している。また、引出線２６の一方の端部は導電体２７に接続され、他方の端部は絶縁層２４に形成されたコンタクトホール３２を介して外部接続端子２８と接続されている。
【００３５】
上記構成により、引出線２６は、外部接続端子２８における導電体２７側の第１の端部からコンタクトホール３２までの距離だけ長くできる。従って、引出線２６の抵抗値の調整範囲が拡大できる。よって、引出線２６の抵抗値分布が、高均一化される。
【００３６】
次に、本発明の第２の実施形態を説明する。なお、上記実施形態と同一構成に関しては同一符号を用いて説明を適宜省略する。
【００３７】
図７は、本実施形態にかかる引出線配線装置における端子領域８及び額縁領域６の部分上面図を示している。図８は、図７におけるＢ−Ｂ線に沿った断面図である。また図９は、外部接続端子２８を拡大した部分上面図である。
【００３８】
引出線配線装置３０は、絶縁層２４を挟んで設けられた外部接続端子２８と引出線２６とを備えている。なお、絶縁層２４には、コンタクトホール（接続部）３２が形成されている。引出線２６は、ガラス基板２２と絶縁層２４との層間に形成されている。
【００３９】
絶縁層２４は、外部接続端子２８と引出線２６とを電気的に隔離する膜で、その材料として二酸化珪素や窒化珪素等が例示できる。引出線２６は、クロミューム、モリブデン、アルミニューム等を材料に含む単層又は多層膜である。外部接続端子２８は、クロミューム、モリブデン、アルミニューム等を材料に含む金属パターン２８ａとＩＴＯ等のパターン２８ｂとの積層体である。
【００４０】
このような引出線配線装置３０の製造方法を図１０を参照して説明する。まず、ガラス基板２２の上にクロミューム、モリブデン、アルミニューム等を材料に含む金属膜が、スパッタ法等を用いて形成される。その後、フォトリソグラフィ法を用いて、金属膜をパターニングすることにより、引出線２６が形成される（ステップＳｔ１）。
【００４１】
次に、ＣＶＤ（Ｃｈｅｍｉｃａｌ  Ｖａｐｏｒ  Ｄｅｐｏｓｉｔｉｏｎ）法等を用いて引出線２６の上に二酸化珪素や窒化珪素を成膜することにより、絶縁層２４が形成される（ステップＳｔ２）。その後、コンタクトホール３２が、エッチング技術を用いて絶縁層２４に形成される（ステップＳｔ３）。
【００４２】
コンタクトホール３２を形成した後に、クロミューム、モリブデン、アルミニューム等を材料に含む金属膜が成膜され、その上にＩＴＯ膜が成膜される。そして、フォトリソグラフィ法を用いて、金属膜及びＩＴＯ膜をパターニングすることにより、外部接続端子２８が形成される（ステップＳｔ４）。
【００４３】
このようにして形成された外部接続端子２８と引出線２６とは、図７に示すようにコンタクトホール３２の位置で電気接続される。このコンタクトホール３２は、外縁端３４側の外部接続端子２８の端部（第２の端部）の近傍に形成されている。即ち、コンタクトホール３２は、外部接続端子２８の第２の端部から所定距離離れた位置に形成されている。そして、長い線長の引出線２６の線幅は広く形成され、また短い線長の引出線２６の線幅は狭く形成されている。
【００４４】
コンタクトホール３２は、表示領域４から最も離れた外部接続端子２８の第２の端部から所定距離離れた位置に形成されているので、引出線２６は端子領域８の幅に略相当する分だけ長くできる。言い換えれば、引出線２６の抵抗値の調整範囲は、端子領域８だけ広げることが可能になっている。
【００４５】
即ち、額縁領域６の一般的な幅は約２〜５ｍｍ程度であり、外部接続端子２８の長さは約１．５〜３ｍｍである。従って、本実施形態にかかる額縁領域６は、実質的に約１．５〜３ｍｍ広げることが可能になる。
【００４６】
また、図７に示したように、端子領域８における引出線２６は、互いに平行に設けられると共に、外部接続端子２８に沿って設けられている。具体的には、端子領域８からの各引出線２６は平行で、かつ、外部接続端子２８に平行に引き出され、その後に所定の引出角で信号線１０の方向に延びている。このため、端子領域８における引出線２６の隣接間隔は、最も大きくなる。従って、端子領域８における引出線２６の線幅を広い幅に設定することが可能になる。
【００４７】
制御信号の伝送特性のばらつきを抑えるために、各引出線の抵抗値分布は均一化していることが好ましい。加えて、制御信号の伝送特性の劣化量を抑えるために、各引出線の抵抗値は低いことが好ましい。引出線を端子領域８において外部接続端子と接続する場合、端子領域８における引出線２６の抵抗値により、引出線２６の全長に渡る抵抗値が高くなる。
【００４８】
このような場合には、図７の拡大図Ｇに示すように、端子領域８における引出線２６の線幅Ｗ１を額縁領域６の線幅Ｗ２より太い線幅に設定する。即ち、引出線２６の線幅を途中から変える。なお、図７の拡大図Ｇは、額縁領域６及び端子領域８における線長が長い引出線２６の上面図である。これにより、各引出線の抵抗値の十分な均一化を達成しながら、引出線２６の抵抗値が高くなることが抑制できる。
【００４９】
上記説明では、引出線２６は直線的であり蛇行する構成でなかったが、本実施形態は、引出線２６を蛇行させる構成を排除するものではない。即ち、図１１に示すように、引出線２６の抵抗値を高くしたい場合には、この引出線２６に蛇行部３９を設けて線長を長くする。蛇行の回数等は、調整したい抵抗値に応じて、適宜設定することができる。
【００５０】
図１２は、上記構成の引出線配線装置と関連技術にかかる引出線配線装置とにおける１つの端子ブロック内での引出線の抵抗値分布を比較した図である。○印が本実施形態にかかる引出線配線装置の引出線の抵抗値を示し、■印が関連技術にかかる引出線配線装置の引出線の抵抗値を示している。また、横軸は端子ブロックにおける外部接続端子のピン番号を示し、縦軸はその番号の外部接続端子に接続された引出線の抵抗値を示している。
【００５１】
関連技術にかかる引出線配線装置の場合には、抵抗値が大きく変動している。これは引出線を蛇行させたり線幅を調整したりしても、これらの調整スペースの制約から、抵抗値の十分な均一化が図れないことを示している。これに対し本実施形態にかかる引出線配線装置の場合には、抵抗値の変動は、抑制されている。これは引出線を端子領域におけるコンタクトホールの位置まで延長することで、抵抗値の調整スペースが広がり、抵抗値の十分な均一化が図れたことを示している。
【００５２】
従って、液晶パネルの寸法等の基本仕様を変えることなく、引出線の抵抗値分布を高均一化した引出線配線装置が可能となる。よって、かかる引出線配線装置を用いた高画質の画像表示装置が提供できる。
【００５３】
また、額縁領域が端子領域まで実質的に拡張されるので、端子領域の幅を狭くできる。従って、ガラス基板が同じ寸法であっても、端子領域の幅を狭くした分だけ表示領域を大きくすることが可能になる。逆に、表示領域が同じであっても、ガラス基板のサイズが小さい表示パネルの製造ができる。
【００５４】
次に、本発明の第３の実施形態を説明する。なお、上記実施形態と同一構成に関しては同一符号を用いて説明を適宜省略する。
【００５５】
実施形態にかかる引出線配線装置は、引出線を直線状に形成した構成に関する。図１３を参照して説明する。図１３は、本実施形態にかかる引出線配線装置を示す上面図である。
【００５６】
引出線２６と外部接続端子２８とは絶縁層を介して隔てられ、コンタクトホール３２により接続されている。そして、引出線２６は、コンタクトホール３２から信号線１０との間を略直線状に形成されている。
【００５７】
引出線２６を直線状に形成するため、引出線２６の線長は短くなる。引出線２６を短くすることにより、その引出線の抵抗値は小さくなる。従って、各引出線の抵抗値分布を均一化しながら、かつ、各引出線の抵抗値の平均値を小さくすることができる。先に説明したように、抵抗値が小さいと、制御信号における伝送特性の劣化も小さくなる。よって、表示画像の画質低下を抑えながら、均一な画質の表示パネルが実現できる。
【００５８】
図１４は、本実施形態と関連技術とにかかる引出線配線装置における引出線の抵抗値分布を測定した結果を示す図である。○印が本実施形態にかかる引出線配線装置の引出線の抵抗値を示し、■印が関連技術にかかる引出線配線装置の引出線の抵抗値を示している。また、横軸は端子ブロックにおける外部接続端子のピン番号を示し、縦軸はその番号の外部接続端子に接続された引出線の抵抗値を示している。測定は、２つの隣接する端子ブロックに接続された引出線について行っている。
【００５９】
関連技術にかかる引出線配線装置における引出線の抵抗値分布は、大きく変動している。しかし、本実施形態にかかる引出線配線装置における引出線の抵抗値分布の変動幅は小さい。このことは、各端子ブロック１３内での引出線２６の抵抗値分布が均一化されていることを示している。また、各端子ブロック１３間での引出線２６の抵抗値分布が均一化されていることを示している。よって、本発明の効果を検証することができた。
【００６０】
以上説明したように、液晶パネルの寸法等の基本仕様を変えることなく、引出線の抵抗値の増大を抑え、かつ、各引出線の抵抗値分布を高均一化した引出線配線装置が可能となる。よって、かかる引出線配線装置を用いた高画質の画像表示装置が提供できる。
【００６１】
次に、本発明の第４の実施形態を説明する。なお、上記実施形態と同一構成に関しては同一符号を用いて説明を適宜省略する。
【００６２】
これまで説明した各実施形態では、コンタクトホールは、表示領域から最も離れた外部接続端子の外縁端近傍から所定距離の位置に形成されていた。例えば、図１３に示す構成では、端子ブロック１３の上下のブロック端側の引出線の長さは、ブロック中央側の引出線の長さより長い。これに対し、本実施形態では、引出線の抵抗値に応じてコンタクトホールの形成位置を変えるようにしたものである。
【００６３】
図１５〜図１７は、本実施形態にかかる引出線配線装置における外部接続端子２８の上面図である。図１５は、外部接続端子２８の端部であって、額縁領域６から遠い端部の近傍に各コンタクトホール３２を形成した場合を例示している。図１６は、外部接続端子２８の端部であって、額縁領域６に近い端部の近傍に各コンタクトホール３２を形成した場合を例示している。さらに、図１７は、各コンタクトホール３２が外部接続端子２８の領域全体に分散するように形成した場合を例示している。
【００６４】
コンタクトホール３２の形成位置は、外部接続端子２８の端子領域内であれば、プロセス上の制限を受けない。そこで、図１５〜図１７に示すように、各引出線２６の長さは略同じ長さになるように、即ち各引出線２６の抵抗値が均一化されるように、コンタクトホール３２の形成位置が調整されている。
図１５〜図１７においては、線長が長くなるブロック端側の引出線３２ａと接続されているコンタクトホール３２は、額縁領域６に近い位置に形成されている。また、線長が短いブロック中央端側の引出線３２ｂと接続されているコンタクトホール３２は、額縁領域６から離れた位置に形成されている。このようにコンタクトホール３２の形成位置を調整することで、各引出線２６の抵抗値が均一化できる。
【００６５】
なお、引出線は、図１５〜図１７に示すように端子ブロックの中心軸線に対して対称に形成される場合の他に、図３に示したように端子ブロックの中心軸線に対して非対称に形成される場合もある。いずれの場合についても、各引出線２６の長さが略同じ長さになるようにコンタクトホール３２の位置を調整する。これにより各引出線の抵抗値分布を高均一化することが可能になる。
【００６６】
以上説明したように、液晶パネルの寸法等の基本仕様を変えることなく、引出線の抵抗値分布を高均一化した引出線配線装置が可能となる。よって、かかる引出線配線装置を用いた高画質の画像表示装置が提供できる。
【００６７】
次に、本発明の第５の実施形態を説明する。なお、上記実施形態と同一構成に関しては同一符号を用いて説明を適宜省略する。
【００６８】
本実施形態は、これまで説明した各実施形態にかかる引出線配線装置を画像表示装置に適用したものである。なお、画像表示装置として液晶表示装置、プラズマディスプレイ装置、有機ＥＬ表示装置などがあり、以下においては液晶表示装置について説明する。
【００６９】
図１８に示すように、液晶表示装置５０は、液晶パネル５１と、バックライト５２とを主要構成とする。液晶パネル５１は、パネル中央部に画像表示を行う表示領域４、この表示領域４の周囲に設けられた額縁領域６、この額縁領域６の周囲に設けられた端子領域８を備える。端子領域８には、複数の駆動回路５３が設けられ、この駆動回路５３の端子は、外部接続端子２８に接続されている。
【００７０】
表示領域４には、複数の走査線１０ａが、所定の間隔で、かつ、平行に設けられている。また、この走査線１０ａに直交して、複数のデータ線１０ｂが所定の間隔で、かつ、平行に設けられている。そして、隣接する２本の走査線１０ａと隣接する２本のデータ線１０ｂとにより囲まれる領域が１つの画素５６をなしている。
【００７１】
駆動回路５３からの制御信号は、外部接続端子２８、引出線２６を経て走査線１０ａやデータ線１０ｂ等の信号線１０に供給されて、各画素５６に印加される。そして、この制御信号に基づき各画素５６の透過率が制御される。
【００７２】
またバックライト５２は、光を液晶パネル５１に向けて放射する。画素５６の透過率が制御されているので、バックライト５２からの光は画素５６の透過率に応じて液晶パネル５１を透過することになる。これにより画像表示が行われる。
【００７３】
このような液晶パネル５１の信号線１０は、引出線２６により外部接続端子２８と接続され、各引出線２６は端子領域８まで延長して設けられて抵抗値分布が均一化されている。従って、輝度ムラのない高画質な表示が実現できる。
【図面の簡単な説明】
【００７４】
【図１】関連技術の考察に適用される液晶パネルの上面図である。
【図２】関連技術の考察に適用される引出線が端子ブロックの中心軸線に対して対称に配置されている場合の端子領域及び額縁領域を示す上面図である。
【図３】関連技術の考察に適用される引出線が端子ブロックの中心軸線に対して非対称に配置されている場合の端子領域及び額縁領域を示す上面図である。
【図４】関連技術の考察に適用される引出線が蛇行した構成を示す図である。
【図５】関連技術の考察に適用される外部接続端子を含む表示パネルの部分断面図である。
【図６】第１の実施形態の説明に適用される引出線配線装置における外部接続端子を含む断面図である。
【図７】第２の実施形態の説明に適用される引出線配線装置における端子領域及び額縁領域の部分上面図である。
【図８】図７におけるＢ−Ｂ線に沿った断面図である。
【図９】第２の実施形態の説明に適用される引出線配線装置における外部接続端子を拡大した部分上面図である。
【図１０】第２の実施形態の説明に適用される引出線配線装置の製造方法を示すフローチャートである。
【図１１】第２の実施形態の説明に適用される引出線の蛇行部を説明する図である。
【図１２】第２の実施形態の引出線配線装置と関連技術にかかる引出線配線装置とにおける１つの端子ブロック内での引出線の抵抗値分布を比較した図である。
【図１３】第３の実施形態の説明に適用される引出線配線装置を示す上面図である。
【図１４】第３の実施形態と関連技術とにかかる引出線配線装置における引出線の抵抗値分布を測定した結果を示す図である。
【図１５】第４の実施形態の説明に適用される引出線配線装置における外部接続端子の上面図で、額縁領域から遠い外部接続端子の端部近傍に各コンタクトホールを形成した場合の図である。
【図１６】第４の実施形態の説明に適用される引出線配線装置における外部接続端子の上面図で、額縁領域に近い外部接続端子の端部近傍に各コンタクトホールを形成した場合の図である。
【図１７】第４の実施形態の説明に適用される引出線配線装置における外部接続端子の上面図で、各コンタクトホールが外部接続端子の領域全体に分散するように形成した場合の図である。
【図１８】第５の実施形態の説明に適用される液晶表示装置の構成を示す斜視図である。
【符号の説明】
【００７５】
２  液晶パネル
４  表示領域
６  額縁領域
８  端子領域
１０  信号線
１３  端子ブロック
２２  ガラス基板
２４  絶縁層
２６  引出線
２８  外部接続端子
３０  引出線配線装置
３２  コンタクトホール（接続部）
３９  蛇行部
５０  液晶表示装置
５１  液晶パネル
５２  バックライト
５３  駆動回路
５６  画素
【図１】
2010072256.tif 000003
【図２】
2010072256.tif 000004
【図３】
2010072256.tif 000005
【図４】
2010072256.tif 000006
【図５】
2010072256.tif 000007
【図６】
2010072256.tif 000008
【図７】
2010072256.tif 000009
【図８】
2010072256.tif 000010
【図９】
2010072256.tif 000011
【図１０】
2010072256.tif 000012
【図１１】
2010072256.tif 000013
【図１２】
2010072256.tif 000014
【図１３】
2010072256.tif 000015
【図１４】
2010072256.tif 000016
【図１５】
2010072256.tif 000017
【図１６】
2010072256.tif 000018
【図１７】
2010072256.tif 000019
【図１８】
2010072256.tif 000020